(57)【要約】【課題】様々な模型デザインへの適用可能性を向上することができ、収納時のサイズを小型化すること。【解決手段】本発明の組み立て式模型セットは、複数の模型部品及び収納容器から模型を組み立て可能である。少なくとも１つの模型部品は、折り込み線を有するシート状の部材であり、前記折り込み線に沿って折り畳むと前記収納容器への収納が可能な平面形状となり、且つ、前記折り込み線に沿って折り曲げると他の模型部品又は前記収納容器との組み付けが可能な立体形状となる。前記収納容器は、筒体と、前記筒体に対して挿抜可能な箱体と、を有し、前記箱体及び前記筒体は、前記箱体が前記筒体に嵌め入れられてこれらが一体となるとき、前記複数の模型部品を収納するマッチ箱型の収納容器を成し、前記箱体が前記筒体から抜き出されてこれらが別体となるとき、前記模型の異なる部分を夫々支持する一対の台座を成す。【選択図】図１
2016049395.tif 000002
【特許請求の範囲】
【請求項１】
複数の模型部品と、これらの収納容器と、を有し、前記複数の模型部品及び前記収納容器から模型を組み立て可能な組み立て式模型セットであって、
前記複数の模型部品のうち少なくとも１つは、折り込み線を有するシート状の部材であり、前記折り込み線に沿って折り畳まれることによって前記収納容器への収納が可能な平面形状となり、且つ、前記折り込み線に沿って折り曲げられることによって他の模型部品又は前記収納容器との組み付けが可能な立体形状となるように構成され、
前記収納容器は、筒体と、前記筒体に対して挿抜可能な箱体と、を有し、
前記箱体及び前記筒体は、前記箱体が前記筒体に嵌め入れられてこれらが一体となるとき、前記複数の模型部品を収納するマッチ箱型の収納容器を成し、前記箱体が前記筒体から抜き出されてこれらが別体となるとき、前記模型の異なる部分を夫々支持する一対の台座を成す、
組み立て式模型セット。
【請求項２】
前記筒体は、前記模型を支持する支持面を有し、前記支持面には、前記支持面の一部領域が開閉可能となるよう形成された切り込みを有する、請求項１に記載の組み立て式模型セット。
【請求項３】
前記切り込みは、前記支持面に設けられている一方、前記支持面に対向する対向面には設けられておらず、
前記筒体は、前記箱体と共に前記マッチ箱型の収納容器を成すとき、前記切り込みを有しない前記対向面で前記箱体の上部開口を覆い、前記切り込みを有する前記支持面で前記箱体の底面を覆う、請求項２に記載の組み立て式模型セット。
【請求項４】
前記複数の模型部品及び前記収納容器は、いずれも紙製である、請求項１〜３のいずれか一項に記載の組み立て式模型セット。
【発明の詳細な説明】
【技術分野】
【０００１】
本発明は、複数の模型部品とこれらの収納容器からジオラマを組み立て可能な組み立て式模型セットに関する。
【背景技術】
【０００２】
従来、組み立て式の模型セットとしては例えば特許文献１に記載されたものがある。特許文献１には、鉛筆や消しゴム、定規等の文房具とこれらを収納可能な収納容器とのセットが記載されている。文房具が模型部品として用いられ、文房具と共に収納可能な輪ゴム等が部品接合用の留め具として用いられ、さらに収納容器が模型支持用の台座として用いられることによって、模型が組み立て可能となっている。収納容器は、箱体と蓋体とが一体化された形態であり、蓋体を箱体から開いた状態で収納容器を伏せて平面上に置くと模型の台座として使用可能となる。
【先行技術文献】
【特許文献】
【０００３】
【特許文献１】特開２００４−０３３５８２号公報
【発明の概要】
【発明が解決しようとする課題】
【０００４】
しかしながら、上記従来の組み立て式模型セットにおいては、鉛筆等の文房具を模型部品として用いるため、模型の種類に応じて、使用する鉛筆の本数や定規の個数等を調整する必要がある。各文房具は一定程度のサイズや体積を有するものであり、これらの点数が増えれば顕著に模型部品全体が嵩張り、収納容器への収納が困難となる。したがって、このような多数の文房具を用いる模型セットは、様々な模型デザインへの適用可能性が低いという問題がある。また、文房具を模型部品として使用する場合、収納時の小型化に一定の限界がある。
【０００５】
さらに、上記従来の組み立て式模型セットにおいて、収納容器としての箱体とその蓋体が一体化されているため、変形不可能な一体の台座としてしか使用することができず、したがって支持対象の模型デザインに応じた模型支持面の配置調整等が困難である。この点からも、上記従来の組み立て式模型セットは様々な模型デザインへの適用が困難である。
【０００６】
本発明の目的は、様々な模型デザインへの適用可能性を向上することができ、収納時のサイズを小型化することもできる、組み立て式模型セットを提供することである。
【課題を解決するための手段】
【０００７】
本発明の組み立て式模型セットの一態様は、
複数の模型部品と、これらの収納容器と、を有し、前記複数の模型部品及び前記収納容器から模型を組み立て可能な組み立て式模型セットであって、
前記複数の模型部品のうち少なくとも１つは、折り込み線を有するシート状の部材であり、前記折り込み線に沿って折り畳まれることによって前記収納容器への収納が可能な平面形状となり、且つ、前記折り込み線に沿って折り曲げられることによって他の模型部品又は前記収納容器との組み付けが可能な立体形状となるように構成され、
前記収納容器は、筒体と、前記筒体に対して挿抜可能な箱体と、を有し、
前記箱体及び前記筒体は、前記箱体が前記筒体に嵌め入れられてこれらが一体となるとき、前記複数の模型部品を収納するマッチ箱型の収納容器を成し、前記箱体が前記筒体から抜き出されてこれらが別体となるとき、前記模型の異なる部分を夫々支持する一対の台座を成す。
【発明の効果】
【０００８】
本発明によれば、様々な模型デザインへの適用可能性を向上することができ、収納時のサイズを小型化することもできる。
【図面の簡単な説明】
【０００９】
【図１】本発明の実施の形態に係る組み立て式模型セットの組み立て状態を示す前方斜視図
【図２】本発明の実施の形態に係る組み立て式模型セットの組み立て状態を示す後方斜視図
【図３】本発明の実施の形態に係る組み立て式模型セットの模型部品の展開状態を示す図
【図４】本発明の実施の形態に係る組み立て式模型セットの模型部品の展開状態を示す図
【図５】本発明の実施の形態に係る組み立て式模型セットの模型部品の展開状態を示す図
【図６】本発明の実施の形態に係る組み立て式模型セットの収納状態を示す図
【図７】本発明の実施の形態に係る組み立て式模型セットの収納容器の内箱を示す図
【図８】本発明の実施の形態に係る組み立て式模型セットの収納容器のカバーを示す図
【図９】図８のカバーを裏返した状態を示す図
【図１０】図９のカバーの一部領域を開いた状態を示す図
【発明を実施するための形態】
【００１０】
図１、２は、本発明の実施の形態に係る組み立て式模型セットの組み立て状態を異なる角度から見た斜視図である。
【００１１】
組み立て式模型セット（以下、単に「模型セット」という）は、模型の要部を構成する模型部品１１、２１、２２、２３、２４、３１、３２、３３、３４、３５、３６、３７、３８、３９と、模型を支持する一対の台座を構成する収納容器４０（図６参照）と、を有する。収納容器４０は、内箱４１及びカバー４２を有する。本実施の形態において、模型部品１１、２１〜２４、３１〜３９と収納容器４０（以下、これらの総称を「セット部品」という）は全て、紙製（例えば厚紙）である。
【００１２】
本実施の形態においては、これらの模型部品１１、２１〜２４、３１〜３９及び収納容器４０から組み立てられた模型は、洋風の城のジオラマとなっているが、採用可能な模型デザインはこれだけに限定されるものではない。例えば、遊園地、テーマパーク、建造物、乗り物、又は、特定の時節や文化（クリスマス、誕生日等）をイメージした風景や物品等々、様々なデザインが採用可能である。なお、模型部品１１、２１〜２４、３１〜３９及び収納容器４０には、採用された模型デザイン等に基づいて適切な模様や画像、写真等が印刷等によって表示されていることが好ましいが、本実施の形態においては簡略化のため各セット部品上の模様、画像、写真等の図示を省略する。
【００１３】
図３の（ａ）〜（ｅ）、図４の（ａ）〜（ｄ）及び図５の（ａ）〜（ｅ）にそれぞれ示す模型部品１１、２１〜２４、３１〜３９は、いずれもシート状の部材であり、折り曲げられると模型の一部を成すように模られた形状を有する。ここで、図３〜５においては、各模型部品１１、２１〜２４、３１〜３９の形状が実線及び破線で示されている。実線は、主に輪郭を示しているが、一部の実線は、シート上に形成された切り込みを示している。また、一部の切り込みは、スリットを形成している。各破線は、例えばミシン目のように、手作業によって容易に折り曲げたり折り畳んだりすることができるように形成された線状部分（折り込み線）を示している。
【００１４】
ユーザは、各模型部品１１、２１〜２４、３１〜３９を折り込み線に沿って折り曲げることによって、各模型部品１１、２１〜２４、３１〜３９を立体形状とすることができる。模型部品１１、２１〜２４、３１〜３９は、シート内部に形成されたスリットと、シート端部に形成された舌片と、の少なくとも一方を有しており、いずれかのスリット（例えば図３（ａ）のスリット１１ａ）に、文字やマークの表示（例えば図３（ａ）、（ｂ）の文字「VIII」）によって対応付けられたいずれかの舌片（例えば図３（ｂ）の舌片２１ａ）を差し込むことによって、セット部品同士の固定や各模型部品１１、２１〜２４、３１〜３９の立体形状の維持が可能となっている。このような作業を行って全てのセット部品を互いに組み付けることによって、図１、２に示すような模型を組み立てることができる。このように、立体形状となった模型部品１１、２１〜２４、３１〜３９をスリットへの差し込みによって他のセット部品に組み付けることができるので、組み立ての際に糊等の接着剤や輪ゴム等の固定具の使用を不要とすることができ、組み立て作業を簡素化すると共に部品点数を削減することができる。
【００１５】
なお、本実施の形態では、全ての模型部品１１、２１〜２４、３１〜３９が、立体形状となるように形成されているが、必ずしも全てが組み立て時に立体形状である必要はなく、平面形状のまま他のセット部品に組み付けられるように形成されていても良い。
【００１６】
各模型部品１１、２１〜２４、３１〜３９は、いずれもシート状の部材であるから、薄型或いは平面形状である。よって、収納容器４０の幅や奥行きを超過しないサイズであれば、その模型部品は、そのまま容易に収納容器４０に収納することができる。ただし、模型部品１１、２１〜２４、３１〜３９のうち幾つかは、図３〜５に示すように完全に展開した状態では収納容器４０の幅や奥行きを超過したサイズとなる（例えば図３（ａ）の模型部品１１）。このような比較的大きな模型部品の場合でも、ユーザは、その模型部品に形成された特定の折り込み線に沿って小さく折り畳むことにより、その模型部品を収納容器４０に収納することができる。したがって、組み立て時には収納容器４０よりも大きくなる模型であっても、各模型部品１１、２１〜２４、３１〜３９を必要に応じて折り畳むことによって容易に収納容器４０に収納することができるため、収納時の模型セットを小型化することができる。
【００１７】
また、模型部品１１、２１〜２４、３１〜３９は、折り畳まれても実質的に平面形状を維持することができるので、収納時に、組み立て時と同じ立体形状のまま収納容器４０に収納する必要がなく、薄くて嵩張らない平面形状として収納容器４０に収納することができる。したがって、どのような模型デザインを採用しても、その模型を構成する個々の立体模型部品を収納時には平面化することができるので、採用する模型デザインに応じて模型部品点数が多少増大しても嵩張ることがなく、よって模型セット全体の大型化を抑制することができる。
【００１８】
収納容器４０は、図６に示すように、内箱４１と、この内箱４１を挿抜可能なカバー４２と、から構成されている。
【００１９】
内箱４１は図７に示すように上方に開口した直方体形状の箱体であり、この内部に全ての模型部品１１、２１〜２４、３１〜３９を収納することができる。内箱４１の寸法は例えば幅３５ｍｍ、奥行き５５ｍｍ、高さ１５ｍｍであるが、寸法については適宜変更可能であることは言うまでもない。
【００２０】
カバー４２は図８に示すように前後両側に開口した直方体形状の筒体である。また、カバー４２の寸法（特に内寸）は内箱４１とほぼ同一であり、したがって、カバー４２の内部に内箱４１を嵌め入れて、そのまま追加の固定具を何ら使用することなく固定することができる。
【００２１】
すなわち、収納容器４０は、直方体形状の箱体である内箱４１を同じく直方体形状の筒体であるカバー４２に嵌め入れることによって内箱４１に蓋をすることができる、典型的なマッチ箱の形態を有する（マッチ箱型の）容器である。
【００２２】
したがって、全ての模型部品１１、２１〜２４、３１〜３９が内箱４１に収容された状態で内箱４１をカバー４２に嵌め入れてこれらを一体化させるだけで、簡単に模型部品１１、２１〜２４、３１〜３９の収納が完了する。このとき、内箱４１の蓋として機能するカバー４２が筒体の構造を有しているため、内箱４１の容積いっぱい又はそれ以上に模型部品１１、２１〜２４、３１〜３９が内箱４１に収容された状態で内箱４１にカバー４２を被せても、カバー４２が開いてしまう虞がない。
【００２３】
また、収納容器４０をマッチ箱型の形態としたことから、収納容器４０が本物のマッチ箱らしく見えるような模様や色彩が施されていることが好ましい。また、寸法についても、収納容器４０が本物のマッチ箱らしく見えるような、例えば上述した寸法であることが好ましい。このように収納容器４０の形態や素材の種類（紙）だけでなく外見や寸法まで本物のマッチ箱らしくすることで、収納容器４０単体でマッチ箱の模型を構成することができ、模型部品１１、２１〜２４、３１〜３９を使って洋風の城のジオラマを組み立てた状態とは異なる別の趣を与えることができる。
【００２４】
内箱４１をカバー４２から抜き出してこれらを別体に分離すると、これらは図１、２に示したように互いに独立して模型の異なる部分を夫々支持する一対の台座を成す。このように、内箱４１とカバー４２は互いに分離して夫々を台座として使用することができるので、採用される模型デザインに応じて自由に、組み立て時の各台座の配置位置を異ならせることができる。したがって、箱体と蓋とが一体不可分となっている収納容器の場合に比べて、多様な模型デザインに対応することができる。
【００２５】
また、カバー４２にはスリット４２ａが設けられているため、カバー４２に対していずれかの模型部品（具体的には模型部品３７）の舌片を直接差し込むことができる。もちろん、このようなスリットが内箱４１にも形成されていても良い。
【００２６】
なお、内箱４１とカバー４２夫々の台座として使い方は以下の通りである。
【００２７】
内箱４１は、上部開口４１ａを上に向けた状態で置くことで、模型部品２１〜２４を組み付けられた模型部品１１を組み付けることが可能となる。より具体的には、模型部品２１〜２４が模型部品１１に組み付けられるときに模型部品１１の裏面側に突出する模型部品２１〜２４の舌片を利用して、模型部品１１を内箱４１の上部開口４１ａに緩着させることができる。ちなみに、上部開口４１ａを下に向け、伏せた状態で内箱４１を置いた場合、模型部品２１〜２４を組み付けられた模型部品１１を内箱４１上に載置しようとしても、模型部品１１の裏面側に突出する模型部品２１〜２４の舌片が内箱４１の底面４１ｂに当接してしまうため、模型部品１１を内箱４１に対して位置決めすることができない。
【００２８】
カバー４２は、前後方向に開口した筒体であることから、上面４２ｂと下面４２ｃとを有する。上面４２ｂを上に向けた状態で置くと、内箱４１を伏せて置いた場合と同様の理由で、模型部品３１〜３８を組み付けられた模型部品１１をカバー４２に対して位置決めすることができない。一方、カバー４２の下面４２ｃには、下面４２ｃの一部領域が扉部４２ｄとして開閉可能となるような切り込みが設けられている。よって、下面４２ｃが上を向くようにカバー４２を裏返して置き（図９）、扉部４２ｄをカバー４２の内側に開いて開口４２ｅを形成すると、上部開口４１ａを上に向けた状態で内箱４１を置いた場合と同様に、模型部品３１〜３８が模型部品１１に組み付けられるときに模型部品１１の裏面側に突出する模型部品３１〜３８の舌片を利用して、模型部品１１をカバー４２の開口４２ｅに緩着させることができる。すなわち、カバー４２の下面４２ｃは、模型を支持する支持面として機能する。このように、扉部４２ｄを形成する切り込みを有し、支持面として機能する面を下面４２ｃとしたため、収納時には、この下面４２ｃは内箱４１の底面４１ｂを覆うこととなる。一方、支持面に対向する対向面となる上面４２ｂは、収納時には内箱４１の上部開口４１ａを覆うこととなるが、この上面４２ｂには開口を形成し得る切り込みが一切設けられていない。したがって、内箱４１に収容された模型部品１１、２１〜２４、３１〜３９が、開口４２ｅを通って外部にこぼれ落ちることはない。
【００２９】
また、組み立て時に、開いた扉部４２ｄをカバー４２の上面４２ｂに突き立てるように配置すると、台座として使用するカバー４２の支持強度を強化することができる。
【００３０】
以上、本発明の実施の形態について説明した。今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【符号の説明】
【００３１】
１１、２１、２２、２３、２４、３１、３２、３３、３４、３５、３６、３７、３８、３９  模型部品
１１ａ、４２ａ  スリット
２１ａ  舌片
４０  収納容器
４１  内箱
４１ａ  上部開口
４１ｂ  底面
４２  カバー
４２ｂ  上面
４２ｃ  下面
４２ｄ  扉部
４２ｅ  開口
【図１】
2016049395.tif 000003
【図２】
2016049395.tif 000004
【図３】
2016049395.tif 000005
【図４】
2016049395.tif 000006
【図５】
2016049395.tif 000007
【図６】
2016049395.tif 000008
【図７】
2016049395.tif 000009
【図８】
2016049395.tif 000010
【図９】
2016049395.tif 000011
【図１０】
2016049395.tif 000012